(57)【特許請求の範囲】
【請求項１】
外部装置から認証用コードが付された印刷用データを受信する通信部と、
前記通信部が受信した前記印刷用データを蓄積し、記憶する記憶部と、
前記印刷用データごとに、少なくとも前記印刷用データのデータ名を含む前記印刷用データの情報を一覧で表示する表示部と、
前記印刷用データの処理のための入力と、前記表示部での表示内容に対する入力を受け付ける入力部と、を含み、
前記表示部は、前記一覧を表示する前にコードを入力するためのコード入力画面を表示し、前記入力部にコードが入力された場合、入力されたコードに一致する前記認証用コードが付された前記印刷用データの情報のみを前記一覧に表示し、入力されたコードに一致しない前記認証用コードが付された前記印刷用データの情報を前記一覧に表示せず、
前記入力部は、複数個のコードの入力を受け付け、
前記表示部は、複数個のコードを入力するための前記コード入力画面を表示するとともに、入力された複数個のコードに一致する前記認証用コードが付された前記印刷用データを前記一覧にまとめて表示することを特徴とする画像形成装置。
【請求項２】
前記表示部は、前記印刷用データの送信者を表示し、前記入力部に対し前記送信者の選択がなされた後、前記送信者が、前記印刷用データに付した前記認証用コードの種類の数と同じ数だけのコード入力欄を前記コード入力画面に表示することを特徴とする請求項１に記載の画像形成装置。
【請求項３】
外部装置から認証用コードが付された印刷用データを受信する通信部と、
前記通信部が受信した前記印刷用データを蓄積し、記憶する記憶部と、
前記印刷用データごとに、少なくとも前記印刷用データのデータ名を含む前記印刷用データの情報を一覧で表示する表示部と、
前記印刷用データの処理のための入力と、前記表示部での表示内容に対する入力を受け付ける入力部と、を含み、
前記表示部は、前記一覧を表示する前にコードを入力するためのコード入力画面を表示し、前記入力部にコードが入力された場合、入力されたコードに一致する前記認証用コードが付された前記印刷用データの情報のみを前記一覧に表示し、入力されたコードに一致しない前記認証用コードが付された前記印刷用データの情報を前記一覧に表示せず、
前記コード入力画面で入力されたコードとは異なる前記認証用コードが付された前記印刷用データがある場合、前記表示部は、前記コード入力画面を再表示するか否かを確認するための確認画面を表示し、前記確認画面に基づき前記コード入力画面を再表示するとき、直前に表示した前記コード入力画面での前記コード入力欄の数から、直前に表示した前記コード入力画面で入力されたコードと前記認証用コードと一致した数を引いた数の前記コード入力欄を表示することを特徴とする画像形成装置。
【請求項４】
前記印刷用データに基づき画像を形成する画像形成部を含み、
前記画像形成部は、表示された前記一覧内の前記印刷用データを指定する入力があったとき、指定された前記印刷用データに基づいて印刷を行うことを特徴とする請求項１乃至３のいずれか１項に記載の画像形成装置。
【発明の詳細な説明】
【技術分野】
【０００１】
本発明は、表示部と、タッチパネル等の入力部を有する画像形成装置及び、画像形成装置を含む画像形成システムに関する。
【背景技術】
【０００２】
パーソナルコンピュータ等の情報処理装置から画像データや印刷の設定データ（例えば用紙設定や倍率等）を含む印刷用データを受信し、印刷を行う画像形成装置がある（いわゆるプリンタ機能）。このような画像形成装置では、機密書類の印刷が行われることがある。ところが、画像形成装置が印刷用データを受信して直ちに印刷を行うと、印刷用データの送信者（使用者）が取りに行くまでの間、印刷物は放置される。そうすると、機密書類を第三者に見られる、あるいは、持ち去られるという危険性がある。そのため、送信者が確実に画像形成装置に移動した後に印刷を開始するような画像形成装置が存在する。例えば、画像形成装置は、送信者の画像形成装置へのパスワードの入力をトリガとして、印刷を開始する（「プライベートプリント」と呼ばれることがある。）。
【０００３】
このような印刷を行うプリンタ制御システムの一例が、特許文献１に記載されている。具体的に、特許文献１には、ＬＡＮで構築された印字システムで用いられるプリンタ制御システムにおいて、ホストコンピュータから出力する印字データにパスワードを設定するパスワード設定手段と、印字データにパスワードが設定されている場合、特定のコマンドが入力されるまで印字を行わないように制御する制御手段と、特定のコマンドが入力された場合、印字動作をおこなう印字手段とを具備するプリンタ制御システムが記載されている。この構成により、プリントサーバーまたはプリンタに印字パスワードを設定して初めて該印字データがプリントアウトされるようにし、印字データのセキュリティを確保しようとする（特許文献１：請求項１、段落［０００６］等参照）。
【先行技術文献】
【特許文献】
【０００４】
【特許文献１】特開平０８−０８３１５３号公報
【発明の概要】
【発明が解決しようとする課題】
【０００５】
プライベートプリントの場合、画像形成装置は、パスワード等の入力があるまで、印刷用データを保持、記憶する。例えば、印刷用データは、プリントジョブボックスに蓄えられる。一方で、画像形成装置は、通常複数人で共用され、印刷用データの送信者は複数存在する。そのため、画像形成装置は複数個の印刷用データを保持、記憶する場合がある。
【０００６】
プライベートプリントによる印刷を行う場合、蓄えられた印刷用データの中から自己が印刷しようとする印刷用データを選択する作業が必要となる。そのため、画像形成装置は操作パネルの液晶パネル等の表示部に印刷用データを一覧表示する。そして、使用者は、印刷用データの送信者や、印刷しようとする印刷用データを指定し、パスワードの入力を行う。その結果、使用者は、所望する印刷物を得られる。
【０００７】
ここで、印刷しようとする印刷用データを指定できるようにするため、目的とする印刷用データを探すうえで必要な情報を表示部に表示する必要がある。この場合、例えば、表示部には、印刷用データのデータ名（ファイル名）や、送信者を示す情報（例えば、送信者名やアドレス）や、印刷用データの送信日時等が表示される。
【０００８】
しかし、目的とする印刷用データを探す必要のため表示される情報は、第三者（印刷用データを送信した者以外の者）でも見ることができる場合がある。第三者は、印刷用データのデータ名や、誰のパーソナルコンピュータから送信されたかといった、情報を確認、取得できる。そのため、表示部に、印刷用データのデータ名等の情報を表示する場合、情報セキュリティ上の安全性の点で問題がある。例えば、第三者に悪意があれば、印刷用データのデータ名等の情報を利用し、機密書類のデータが格納されたコンピュータからデータを盗み出してしまう可能性もある。
【０００９】
ここで、特許文献１記載のプリンタ制御システムでは、プリンタには、表示部は設けられておらず、ホストコンピュータからプリンタへの直接的な印刷用データの送信では、プリンタのスイッチが入力されると、プリンタは印字動作を開始する（特許文献１：段落［００１８］参照）。従って、画像形成装置は、印刷用データのデータ名等の情報を表示するものではなく、上記の問題を解決することはできない。また、特許文献１には、プリントサーバーにパスワードを入力する例も示されているが（特許文献１：段落［００１５］参照）、印刷用データのデータ名等の情報を表示するか否かの点について言及はない。従って、特許文献１記載の発明では、上記の問題を解決することはできない。
【００１０】
本発明は、上記の問題点に鑑み、印刷用データの選択、指定のため、印刷用データのデータ名等の情報を表示する場合、第三者による印刷用データの情報の確認をできなくし、情報セキュリティ上の安全性を高めることを課題とする。
【課題を解決するための手段】
【００１１】
上記課題解決のため請求項１に係る画像形成装置は、外部装置から認証用コードが付された印刷用データを受信する通信部と、前記通信部が受信した前記印刷用データを蓄積し、記憶する記憶部と、前記印刷用データごとに、少なくとも前記印刷用データのデータ名を含む前記印刷用データの情報を一覧で表示する表示部と、前記印刷用データの処理のための入力と、前記表示部での表示内容に対する入力を受け付ける入力部と、を含み、前記表示部は、前記一覧を表示する前にコードを入力するためのコード入力画面を表示し、前記入力部にコードが入力された場合、入力されたコードに一致する前記認証用コードが付された前記印刷用データの情報のみを前記一覧に表示し、入力されたコードに一致しない前記認証用コードが付された前記印刷用データの情報を前記一覧に表示しないこととした。
【００１２】
この構成によれば、表示部は、一覧を表示する前にコードを入力するためのコード入力画面を表示し、入力部にコードが入力された場合、入力されたコードに一致する認証用コードが付された印刷用データの一覧を表示する。これにより、印刷用データのデータ名等が表示される前に、コードの入力が求められる。又、入力されたコードに対応する認証用コードが付された印刷用データの情報のみが表示される。従って、第三者による印刷用データのデータ名等の情報の確認はできなくなり、情報セキュリティ上の安全性（機密性）を高めることができる。
【００１３】
又、請求項１に係る発明は、前記入力部は、複数個のコードの入力を受け付け、前記表示部は、複数個のコードを入力するための前記コード入力画面を表示するとともに、入力された複数個のコードに一致する前記認証用コードが付された前記印刷用データを前記一覧にまとめて表示することとした。
【００１４】
同一人が送信した印刷用データでも異なる認証用コードが付される場合もある。そのため、例えば、複数個の印刷用データの印刷を使用とする場合であって、複数個のコードの入力が必要な場合、１種類のコードしか入力できなければ、コード入力→印刷という操作手順の複数回の繰り返しが必要となる。しかし、この構成によれば、表示部は、複数個のコードを入力するためのコード入力画面を表示し、入力された複数個のコードに一致する認証用コードが付された印刷用データを一覧にまとめて表示する。これにより、一度に複数個の印刷用データに対する認証を受けることができる。従って、同じような操作の繰り返しを防ぐことができ、操作がしやすくなり、画像形成装置の利便性を向上させることができる。
【００１５】
又、請求項２に係る発明は、請求項１の発明において、前記表示部は、前記印刷用データの送信者を表示し、前記入力部に対し前記送信者の選択がなされた後、前記送信者が、前記印刷用データに付した前記認証用コードの種類の数と同じ数だけのコード入力欄を前記コード入力画面に表示することとした。
【００１６】
この構成によれば、表示部は、印刷用データに付した認証用コードの種類の数と同じ数だけのコード入力欄をコード入力画面に表示する。これにより、印刷用データの全てを印刷するには、いくつのコードの入力が必要かを把握することができる。
【００１７】
又、請求項３に係る発明は、外部装置から認証用コードが付された印刷用データを受信する通信部と、前記通信部が受信した前記印刷用データを蓄積し、記憶する記憶部と、前記印刷用データごとに、少なくとも前記印刷用データのデータ名を含む前記印刷用データの情報を一覧で表示する表示部と、前記印刷用データの処理のための入力と、前記表示部での表示内容に対する入力を受け付ける入力部と、を含み、前記表示部は、前記一覧を表示する前にコードを入力するためのコード入力画面を表示し、前記入力部にコードが入力された場合、入力されたコードに一致する前記認証用コードが付された前記印刷用データの情報のみを前記一覧に表示し、入力されたコードに一致しない前記認証用コードが付された前記印刷用データの情報を前記一覧に表示せず、前記コード入力画面で入力されたコードとは異なる前記認証用コードが付された前記印刷用データがある場合、前記表示部は、前記コード入力画面を再表示するか否かを確認するための確認画面を表示することとした。
【００１８】
この構成によれば、表示部は、コード入力画面で入力されたコードとは異なる認証用コードが付された印刷用データがある場合、コード入力画面を再表示するか否かを確認するための確認画面を表示する。これにより、残りの印刷用データを印刷するには、先に入力したコードと異なるコードが必要であることを使用者に認識させることができる。従って、コード入力における利便性を高めることができる。
【００１９】
又、請求項３に係る発明は、前記表示部は、前記確認画面に基づき前記コード入力画面を再表示するとき、直前に表示した前記コード入力画面での前記コード入力欄の数から、直前に表示した前記コード入力画面で入力されたコードと前記認証用コードと一致した数を引いた数の前記コード入力欄を表示することとした。
【００２０】
この構成によれば、表示部は、コード入力画面を再表示するとき、直前に表示したコード入力画面でのコード入力欄の数から、直前に表示したコード入力画面で入力されたコードと認証用コードと一致した数を引いた数のコード入力欄を表示する。これにより、これにより、印刷用データの全てを印刷するには、あといくつのコードの入力が必要かを把握することができる。従って、コード入力において、使用者（送信者）に対するメッセージを伝えることで、利便性を高めることができる。
【００２１】
又、請求項４に係る発明は、請求項１乃至３の発明において、前記印刷用データに基づき画像を形成する画像形成部を含み、前記画像形成部は、表示された前記一覧内の前記印刷用データを指定する入力があったとき、指定された前記印刷用データに基づいて印刷を行うこととした。
【００２２】
この構成によれば、画像形成部は、表示された一覧内の印刷用データを指定する入力があったとき、指定された印刷用データに基づいて印刷を行う。これにより、使用者が画像形成装置の前にいて、第三者による持ち去りを防ぐことができる状態で印刷が行われる。従って、情報セキュリティ上の安全性を高めることができる。
【００２３】
尚、本発明を、外部装置としての情報処理装置と通信し、前記外部装置から認証用コードが付された印刷用データを受信する通信部と、前記通信部が受信した前記印刷用データを蓄積し、記憶する記憶部と、前記印刷用データごとに、少なくとも前記印刷用データのデータ名を含む前記印刷用データの情報を一覧で表示する表示部と、前記印刷用データの処理のための入力と、前記表示部での表示内容に対する入力を受け付ける入力部と、を含み、前記表示部は、前記一覧を表示する前にコードを入力するためのコード入力画面を表示し、前記入力部にコードが入力された場合、入力されたコードに一致する前記認証用コードが付された前記印刷用データの情報のみを前記一覧に表示し、入力されたコードに一致しない前記認証用コードが付された前記印刷用データの情報を前記一覧に表示しない画像形成装置と、前記認証用コードを入力するための入力装置を有し、前記認証用コードが付された前記印刷用データを前記画像形成装置に向けて送信する情報処理装置と、を含む画像形成システムと捉えることもできる。
【００２４】
この構成によれば、請求項１と同様に、第三者による印刷用データのデータ名等の情報の確認を妨げることで、画像形成システムの情報セキュリティ上の安全性（機密性）を高めることができる。
【発明の効果】
【００２５】
上述したように、印刷用データのデータ名等の情報を表示するうえで、印刷用データのデータ名等が表示される前にコードの入力が求められる。これにより、第三者は、印刷用データの情報の確認をできない。従って、情報セキュリティ上の安全性が高く、操作がしやすい画像形成装置を提供することができる。
【図面の簡単な説明】
【００２６】
【図１】第１の実施形態に係る画像形成システムの一例を示す模式図である。
【図２】第１の実施形態に係る複合機の一例を示す模型的正面断面図である。
【図３】第１の実施形態に係る画像形成システムの構成の一例を示すブロック図である。
【図４】第１の実施形態に係るプライベートプリントでの表示制御の流れの一例を示すフローチャートである。
【図５】第１の実施形態に係る送信者表示画面の一例を示す説明図である。
【図６】第１の実施形態に係るコード入力画面の一例を示す説明図である。
【図７】第１の実施形態に係る印刷用データ一覧画面の一例を示す説明図である。
【図８】第２の実施形態に係るプライベートプリントでの表示制御の流れの一例を示すフローチャートである。
【図９】第２の実施形態に係るコード入力画面の一例を示す説明図である。
【図１０】第２の実施形態に係るコード入力画面を再表示するか否かを確認するための確認画面の一例を示す説明図である。
【図１１】第２の実施形態に係る再表示のコード入力画面の一例を示す説明図である。
【図１２】第２の実施形態に係る印刷用データ一覧画面の一例を示す説明図である。
【発明を実施するための形態】
【００２７】
以下、まず、本発明の第１の実施形態を図１〜図７を用いて説明する。ここで、本発明は、各種画像形成システムに適用可能であるが、複合機１００（画像形成装置に相当）とＰＣ２００（例えば、パーソナルコンピュータ、外部装置、情報処理装置に相当）を含む画像形成システム４００を例に挙げ説明する。但し、本実施の形態に記載されている構成、配置等の各要素は、発明の範囲を限定せず、単なる説明例にすぎない。
【００２８】
（画像形成システム４００の概要）
まず、図１を用い、本発明の第１の実施形態に係る画像形成システム４００の一例を説明する。図１は、本発明の第１の実施形態に係る画像形成システム４００の一例を示す模式図である。
【００２９】
図１に示す複合機１００は、スキャナ機能、コピー機能、プリント機能、ＦＡＸ機能等を備える。そして、図１に示すように、ＰＣ２００が、複合機１００に対し通信可能に接続される。例えば、各ＰＣ２００と複合機１００はネットワークにより接続される。尚、ネットワークを介さず、ケーブル（例えば、ＵＳＢケーブル）を用いて、直接的にＰＣ２００と複合機１００を接続することもできる。
【００３０】
各ＰＣ２００は、キーボード等（マウスは不図示）の入力装置２０１やディスプレイ２０２を有する。そして、各ＰＣ２００内のＨＤＤ等の記憶装置２０３（図３参照）には、複合機１００をプリンタとして使用するためのドライバソフトウェアがインストールされる。使用者は、ドライバソフトウェアを起動し、ドライバソフトウェアを操作することで、複合機１００に送信する印刷用データに認証用コード（パスワード）を付すことができる。
【００３１】
印刷用データは、印刷に用いる用紙等の設定データや、印刷を行う画像データや、認証用コード等を含み、各ＰＣ２００は複合機１００に向けて送信する。複合機１００は、この印刷用データを受けて、印刷を実行する（プリンタ機能）
【００３２】
（画像形成装置の概要）
次に、図２に基づき、本発明の第１の実施形態に係る複合機１００を説明する。図２は本発明の第１の実施形態に係る複合機１００の一例を示す模型的正面断面図である。
【００３３】
図２に示すように、本実施形態の複合機１００は、最上部に原稿カバー１０１を有し、複合機１００本体には、操作パネル１、画像読取部１０２、給紙部２、搬送路３、画像形成部４、定着部５等が設けられる。
【００３４】
まず、図２に破線で示すように、操作パネル１は、複合機１００の正面上方に設けられる。そして、操作パネル１は、複合機１００の状態や各種メッセージを表示する液晶表示部６（表示部に相当）を備える。液晶表示部６は、機能の選択、設定や文字入力等を行うためのキーを１又は複数表示できる。又、液晶表示部６にタッチパネル部６１（例えば、抵抗膜方式、入力部に相当）が設けられる。タッチパネル部６１は、液晶表示部６で押下された部分の位置、座標を検出するためのものである。又、操作パネル１には、コピー等の各種機能の実行開始を指示するためのスタートキー１１や数字等の入力用のテンキー部１２も設けられる。
【００３５】
又、操作パネル１には、複合機１００に蓄えられた印刷用データやその送信者を表示するためのプリントボックスキー１３が設けられる。ＰＣ２００から認証用コードを付して印刷用データを送信した送信者は、プリントボックスキー１３を押下し、プリントジョブボックスを開き、操作パネル１を用いて各種操作を行うことにより印刷用データの印刷を行える。このように、操作パネル１には、スタートキー１１や、テンキー部１２や、プリントボックスキー１３等のハードとしてのキー（入力部に相当）も各種設けられる。
【００３６】
原稿カバー１０１は、図２の紙面奥行き方向に支点を有し、紙面上下方向に開閉可能である。原稿カバー１０１は、原稿の複写時、載置読取用コンタクトガラス１０２Ａに載置された原稿を押さえる。画像読取部１０２は、原稿を読み取り、原稿の画像データを形成する。又、画像読取部１０２内には露光ランプ、ミラー、レンズ、イメージセンサ（例えば、ＣＣＤ）等の光学系部材（不図示）が設けられる。尚、原稿カバー１０１に変えて、載原稿を１枚ずつ、自動的、連続的に、画像読取部１０２の読み取り位置（送り読取用コンタクトガラス１０２Ｂ）に向けて搬送する原稿搬送装置を設けてもよい。
【００３７】
そして、これらの光学系部材を用い、載置読取用コンタクトガラス１０２Ａに載置される原稿に光を照射し、その原稿の反射光を受けたイメージセンサの各画素の出力値をＡ／Ｄ変換し、画像データが生成される。複合機１００は、読み取りにより得られた画像データに基づき印刷を行うことができる（コピー機能）。
【００３８】
給紙部２は、複数の用紙（例えば、コピー用紙、普通紙、再生紙、厚紙、ＯＨＰシート等の各種シート）を収容し、１枚ずつ搬送路３に送り込む。給紙部２は、収納用紙が載置されるカセット２１を含む（図２で上方のものに２１Ａ、下方のものに２１Ｂの符号を付す）。又、カセット２１から搬送路３に送り出すため回転駆動する給紙ローラ２２が設けられる（図２で上方のものに２２Ａ、下方のものに２２Ｂの符号を付す）。例えば、印刷時には、給紙ローラ２２が回転駆動し、印刷に要する用紙が１枚ずつ搬送路３に送り出される。
【００３９】
搬送路３は、給紙部２から排出トレイ３１まで用紙を搬送する通路である。尚、用紙搬送経路上には画像形成部４、定着部５等が配される。そして、搬送路３には、用紙の案内のためのガイドや、用紙搬送の際に回転駆動する搬送ローラ対３２、３３や、搬送されてくる用紙を画像形成部４の手前で待機させ、トナー像形成のタイミングを合わせて用紙を送り出すレジストローラ対３４等が設けられる。
【００４０】
画像形成部４は、画像データに基づきトナー像を形成し、搬送される用紙にトナー像を転写する。そのため、画像形成部４は、図２中に示す矢印方向に回転駆動可能に支持された感光体ドラム４１、及び、感光体ドラム４１の周囲に配設された帯電装置４２、露光装置４３、現像装置４４、転写ローラ４５、清掃装置４６等を備える。
【００４１】
トナー像形成及び転写プロセスを説明すると、画像形成部４の略中心に設けられ、所定方向に回転駆動する感光体ドラム４１は、図２において、感光体ドラム４１の右斜め上方に設けられる帯電装置４２により、所定電位に帯電される。図４において、露光装置４３は、帯電装置４２の右側方に設けられ、画像データに基づき、レーザ光をから出力し、感光体ドラム４１表面を走査露光して画像データに応じた静電潜像を形成する。尚、画像データは、画像読取部１０２で得られた画像データや、ネットワーク等により接続される外部のＰＣ２００や相手方ＦＡＸ装置３００（図３参照）から送信された画像データ等が用いられる。
【００４２】
そして、図２において、感光体ドラム４１の右斜め下方に設けられる現像装置４４は、感光体ドラム４１に形成された静電潜像にトナーを供給して現像する。感光体ドラム４１の左方に設けられる転写ローラ４５は感光体ドラム４１に圧接し、ニップが形成される。そして、トナー像にあわせタイミングを図られつつ、用紙はニップに進入する。用紙進入時、転写ローラ４５には所定の電圧が印加され、用紙に感光体ドラム４１上のトナー像が転写される。清掃装置４６は、転写後に感光体ドラム４１に残留するトナーを除去する。
【００４３】
定着部５は、用紙に転写されたトナー像を定着させる。本実施形態における定着部５は主として発熱体を内蔵する加熱ローラ５１と加圧ローラ５２で構成される。加熱ローラ５１と加圧ローラ５２は圧接しニップを形成する。そして、用紙が、このニップを通過することで、用紙表面のトナーが溶融・加熱され、トナー像が用紙に定着する。トナー定着後の用紙は、排出トレイ３１に排出される。このようにして、コピー機能、プリンタ機能の使用時、画像形成（印刷）が行われる。
【００４４】
（画像形成システム４００のハードウェア構成）
そこで、次に、図３に基づき、本発明の第１の実施形態に係る画像形成システム４００のハードウェア構成の一例を説明する。図３は、本発明の第１の実施形態に係る画像形成システム４００の構成の一例を示すブロック図である。
【００４５】
まず、ＰＣ２００を説明する。尚、複合機１００に対し、複数台のＰＣ２００を接続可能であるが、便宜上、図３ではＰＣ２００を一台のみ示す。
【００４６】
ＰＣ２００は、内部に、ＰＣ２００でのデータ処理や、制御を行う処理部２０４を有する。処理部２０４は、例えば、ＣＰＵや各種チップを搭載した基板からなる。記憶装置２０３は、例えば、ＨＤＤやフラッシュＲＯＭやＲＡＭからなり、例えば、ＰＣ２００の制御プログラムや複合機１００用のドライバソフトウェアを記憶する。入力装置２０１は、例えば、キーボードやマウスであり、ＰＣ２００に対する入力インターフェイスである。ディスプレイ２０２は、各種画面を表示し、例えば、ドライバソフトウェアを起動させた場合、複合機１００での印刷設定に関する画面を表示する。データ通信部２０５は、他のＰＣ２００や複合機１００やネットワークに接続するためのインターフェイスであり、通信用チップや、コネクタ等を含む。
【００４７】
本発明に関し、本実施形態の画像形成システム４００における情報処理装置（例えば、ＰＣ２００）は、認証用コードを入力するための入力装置２０１を有し、認証用コードが付された印刷用データを、データ通信部２０５から画像形成装置（例えば、複合機１００）に向けて送信する。
【００４８】
次に、複合機１００について説明する。複合機１００内には、制御部７が設けられる。制御部７は、複合機１００の動作を制御し、例えば、ＣＰＵ７１、画像処理部７２等を含む。尚、制御部７は、全体制御や画像処理を行うメイン制御部と、画像形成や各種回転体を回転させるモータ等のＯＮ／ＯＦＦ等を制御するエンジン制御部等、機能ごとに分割して複数種設けられてもよい。
【００４９】
ＣＰＵ７１は、中央演算処理装置であって、記憶部７３に格納され、展開されるプログラムやデータに基づき複合機１００の各部を制御する。画像処理部７２は、印刷を行う画像データや、外部のＰＣ２００や相手方のＦＡＸ装置３００に送信される画像データに対し、各種画像処理を施す。
【００５０】
記憶部７３は、例えば、ＲＯＭ、ＲＡＭ、ＨＤＤを含み、不揮発性と揮発性の記憶用の装置を組み合わせて構成される。そして、記憶部７３は、複合機１００の制御用等の各種のプログラムやデータ、設定データ、画像データ等の各種データを記憶する。例えば、各ＰＣ２００から送信された認証用コード付きの印刷用データは、記憶部７３のＨＤＤに記憶される。
【００５１】
そして、制御部７は、操作パネル１、画像読取部１０２、給紙部２、搬送路３、画像形成部４、定着部５等の各部とバスや信号線等で接続され、各部、各装置を制御して複合機１００の動作を制御する。
【００５２】
本実施形態の複合機１００の操作パネル１は、例えば、表示制御部８、メモリ１４、ドライバ回路１５、液晶表示部６、タッチパネル部６１を有する。表示制御部８は、ＣＰＵやＩＣ等で構成され、液晶表示部６の表示を制御する。具体的に、例えば、表示制御部８は、液晶表示部６を駆動し表示を制御するドライバ回路１５に表示する画面の画像データや指示を与え、表示の制御を行う。又、表示制御部８は、タッチパネル部６１の出力を受け、液晶表示部６で押下された座標を特定する。例えば、タッチパネル部６１の出力と座標の対応を示すテーブル等のデータは、メモリ１４に記憶される。
【００５３】
表示制御部８は、押下位置の座標と液晶表示部６に表示される各種画面の画像データを比較する等により、押下されたキーを特定、認識する。このように、使用者は、コピー等の各機能を使用するうえでの設定を行える。例えば、表示制御部８は、設定内容を認識しその内容を本体の制御部７に送信する。これにより、制御部７は、操作パネル１での設定内容を反映した動作を複合機１００内の各部に行わせる。
【００５４】
又、液晶表示部６が表示する画面、画像の画像データは、例えば、操作パネル１内のメモリ１４に記憶される。そして、表示制御部８は、液晶表示部６に表示されたキー等が押下されるごとに、表示制御部８は、次に表示すべき画面、画像の画像データをメモリ１４から読み出す。又、操作パネル１に設けられる各種ハードキー（スタートキーやプリントボックスキー１３）も表示制御部８に接続され、表示制御部８は、各種キーが押下されたことを認識し、その旨を制御部７に伝達する。
【００５５】
更に、制御部７は、各種コネクタ、ソケット、通信制御用のチップ等を備えた通信部７４と接続される。通信部７４は、ネットワークや公衆回線等により、ＰＣ２００や、相手方ＦＡＸ装置３００と、複合機１００を通信可能に接続する。例えば、画像データを含むデータを外部のＰＣ２００や相手方ＦＡＸ装置３００（インターネットＦＡＸでもよい）に送信することができる（スキャナ機能、ＦＡＸ機能）。ＰＣ２００や相手方ＦＡＸ装置３００からの画像データに基づき印刷を行うこともできる（プリンタ機能、ＦＡＸ機能）。特に、プリンタ機能に関し、通信部７４は、ＰＣ２００から認証用コードが付された印刷用データを受信する。このように、複合機１００は、コピー機能、プリンタ機能、スキャン機能、ＦＡＸ機能のうちの複数の機能を備える。
【００５６】
（プライベートプリント）
次に、図４〜図７を用い、本発明の第１の実施形態に係るプライベートプリントの一例を説明する。図４は、本発明の第１の実施形態に係るプライベートプリントでの表示制御の流れの一例を示すフローチャートである。図５は、本発明の第１の実施形態に係る送信者表示画面９１の一例を示す説明図である。図６は、本発明の第１の実施形態に係るコード入力画面９２の一例を示す説明図である。図７は、本発明の第１の実施形態に係る印刷用データ一覧画面９３（一覧に相当）の一例を示す説明図である。
【００５７】
まず、本実施形態の画像形成システム４００では、第三者による印刷物の持ち去りや、権限のない者が機密書類を見ることを防ぐ観点から、プライベートプリントの機能を有する。プライベートプリントでは、各使用者がＰＣ２００から認証用コード（パスワード）を付したうえで印刷用データを送信する。印刷用データを受信した複合機１００は、直ちに印刷せず、記憶部７３に記憶して蓄える。そして、複合機１００は、認証用コード（パスワード）の入力を受けて印刷を行う。これにより、複合機１００の近くに印刷用データの送信者がいる状態で印刷が行われ、第三者による印刷物の持ち去り等が防がれる。
【００５８】
そこで、図４を用い、プライベートプリントでの表示制御の流れを説明するとともに、プライベートプリントで操作パネル１に表示される画面もあわせて説明する。
【００５９】
まず、図４のスタートは、複合機１００の記憶部７３に認証用コードが付された印刷用データが蓄積、記憶された状態である。具体的に、印刷しようとする者は、ＰＣ２００で画像データ、文書データ、電子文書などを扱うアプリケーションを動作させ、印刷指示を出す。このとき、複合機１００のドライバソフトウェアによってＰＣ２００のディスプレイ２０２に表示される印刷設定用の画面で、ＰＣ２００の入力装置２０１（例えば、キーボード）を用いて、認証用コード（パスワード）を付す設定を行うことができる。例えば、認証用コードは、任意の４桁の数字である。尚、認証用コードには、文字や記号を含むものであってもよいし、桁数は、４桁に限られない。又、認証用コードは、印刷用データごとに変更できる。
【００６０】
印刷用データに認証用コードを付す設定がなされると、ＰＣ２００は、印刷用データに認証用コードを付して複合機１００に印刷用データを送信する。複合機１００の通信部７４は、印刷用データを受信する。そして、制御部７は、印刷用データに認証用コードが付されているかを確認する。もし、認証用コードが付されていれば、制御部７は、直ちに印刷処理制御を行わず、記憶部７３に記憶させる。一方、認証用コードが付されていなければ、制御部７は、画像処理部７２や画像形成部４等を動作させ、印刷用データに基づく印刷が実行される。
【００６１】
このように、図４のスタートでは、プライベートプリントのため、認証用コードが付された印刷用データを複合機１００（の記憶部７３）が蓄えている状態である。そして、表示制御部８は、プリントボックスキー１３の押下や、液晶表示部６に対する操作等が行われると、図５に示すような、送信者表示画面９１を液晶表示部６に表示させる（ステップ♯１）。
【００６２】
この送信者表示画面９１における表示のため、例えば、制御部７から表示制御部８に、記憶部７３に蓄えられている印刷用データの送信者を示すデータが送られる。尚、印刷用データを受信する際、制御部７や通信部７４は、送信元を確認し（送信者を把握し）、記憶部７３は、印刷用データに対応づけて送信者を示すデータも記憶する。あるいは、制御部７は、印刷用データに付される送信者を示す情報を確認してもよい。
【００６３】
ステップ♯１の送信者表示画面９１では、縦方向に送信者の名前が並べて表示される（図５に示す例では、Ｋｏ０８９０他４名）。そして、送信者表示画面９１では、印刷用データの送信者（印刷しようとする者）が、自己の名前を選択し、開くキーＫ１を押下する。言い換えると、表示制御部８は、タッチパネル部６１により、送信者表示画面９１で、送信者を指定する旨の入力が行われたことを認識する（ステップ♯２）。
【００６４】
ステップ♯２による送信者指定入力が行われると、表示制御部８は、図６に示すようなコード入力画面９２を液晶表示部６に表示させる（ステップ♯３）。そして、使用者は、テンキー部１２等を用いてコード（パスワード）の入力を行い、入力完了後、ＯＫキーＫ２を押下する。このＯＫキーＫ２の押下により、表示制御部８は、コードの入力が行われたことを認識する（ステップ♯４）。
【００６５】
そして、表示制御部８は、制御部７に向け、入力されたコードを送信し、制御部７は、印刷用データに付された認証用コードと入力されたコードを比較して、一致する印刷用データがあるかを確認する（ステップ♯５）。尚、印刷用データに付された認証用コードと入力されたコードの比較、照合は、送信者表示画面９１で指定された送信者に関する印刷用データについてのみ行われる。
【００６６】
尚、本説明では、制御部７が、認証用コードと、操作パネル１に入力されたコードとの比較、照合を行う例を説明するが、例えば、制御部７が各印刷用データに付された認証用コードを表示制御部８に与え、表示制御部８が認証用コードと入力されたコードとの比較、照合を行って行ってもよい。
【００６７】
もし、一致する認証用コードが付された印刷用データがなければ（ステップ♯５のＮｏ）、制御部７からその旨が表示制御部８に伝えられ、表示制御部８は、送信者表示画面９１を表示する（ステップ♯１に戻る）。一方、一致する認証用コードが付された印刷用データがあれば（ステップ♯５のＹｅｓ）、表示制御部８は、図７に示すような印刷用データ一覧画面９３を液晶表示部６に表示させる（ステップ♯６→エンド）。そして、印刷用データ一覧画面９３で印刷等の指示がなされることになる。
【００６８】
印刷用データ一覧画面９３を表示する場合、例えば、制御部７から表示制御部８に、入力されたコードに一致する認証用コードが付された印刷用データに関する情報が与えられる。例えば、表示制御部８に与えられる情報としては、印刷用データのデータ名や、印刷用データの受付日時（ＰＣ２００からの送信日時）等が挙げられるが、ページ数や用紙サイズ等の別種の情報が与えられてもよい。
【００６９】
即ち、本発明における画像形成システム４００の画像形成装置（例えば、複合機１００）は、外部装置（例えば、ＰＣ２００）から認証用コードが付された印刷用データを受信する通信部７４と、通信部７４が受信した印刷用データを蓄積し、記憶する記憶部７３と、印刷用データごとに、少なくとも印刷用データのデータ名を含む一覧（印刷用データ一覧画面９３）を表示する表示部（液晶表示部６）と、印刷用データの処理のための入力と、表示部での表示内容に対する入力を受け付ける入力部（タッチパネル部６１等）と、を含み、表示部は、一覧を表示する前にコードを入力するためのコード入力画面９２を表示し、入力部にコードが入力された場合、入力されたコードに一致する認証用コードが付された印刷用データの一覧（印刷用データ一覧画面９３）を表示する。
【００７０】
このように、従来と異なり、印刷用データ一覧画面９３が表示される前に、コード入力画面９２が表示される。これにより、印刷用データのデータ名等でさえ、第三者に見られることを防ぐことができる。
【００７１】
尚、図７を用い、印刷用データ一覧画面９３での操作と、操作に対する処理を説明しておく。図７では、印刷用データ一覧表示領域９３Ｆに、入力されたコードと認証用コードとが一致した印刷用データのデータ名や受付日時の一覧が表示される。図７には、「会議資料」や「発注書」といった印刷用データのデータ名を例示している。
【００７２】
又、印刷用データ一覧表示領域９３Ｆに表示された印刷用データの左側には、チェックボックス９３Ｃが設けられる。表示制御部８は、印刷用データが押下されると、チェックボックス９３Ｃ内にチェックを液晶表示部６に表示させる。これにより、印刷用データが選ばれた状態となる。
【００７３】
又、印刷用データ一覧表示領域９３Ｆの下方には、削除キーＫ３、印刷キーＫ４、詳細キーＫ５の３つのキーが並べて表示される。削除キーＫ３が押下されると、表示制御部８は、選ばれた印刷用データの削除指示を制御部７に送る。これを受け、制御部７は、記憶部７３から選ばれた印刷用データを削除させる。これにより、選ばれた印刷用データは、印刷できなくなる。
【００７４】
又、印刷キーＫ４が押下されると、表示制御部８は、選ばれた印刷用データの印刷指示を制御部７に送る。これを受け、制御部７は、記憶部７３から選ばれた印刷用データを読み出し、画像形成部４等に印刷を行わせる（プリンタ機能）。即ち、本発明に係る画像形成装置（例えば、複合機１００）は、印刷用データに基づき画像を形成する画像形成部４を含み、画像形成部４は、表示された一覧（印刷用データ一覧画面９３）内の印刷用データを指定する入力があったとき、指定された印刷用データに基づいて印刷を行う。更に、詳細キーＫ５が押下されると、表示制御部８は、選ばれた印刷用データの詳細な情報を制御部７に求める。これを受け、制御部７は、選ばれた印刷用データのファイル情報（例えば、データサイズや作成者等）を記憶部７３から読み出し、表示制御部８に与える。そして、表示制御部８は、与えられた情報を表示する。
【００７５】
尚、３つのキーの下方に設けられた閉じるキーＫ６が押下されると、表示制御部８は、印刷用データ一覧画面９３の表示を止め、例えば、初期設定画面を表示させ、使用者からの入力を受け付ける待機状態となる。
【００７６】
このようにして、本発明によれば、表示部（液晶表示部６）は、一覧（印刷用データ一覧画面９３）を表示する前にコードを入力するためのコード入力画面９２を表示し、入力部（タッチパネル部６１等）にコードが入力された場合、入力されたコードに一致する認証用コードが付された印刷用データの一覧を表示する。これにより、印刷用データのデータ名等が表示される前に、コードの入力が求められる。又、入力されたコードに対応する認証用コードが付された印刷用データの情報のみが表示される。従って、第三者による印刷用データのデータ名等の情報の確認はできなくなり、情報セキュリティ上の安全性（機密性）を高めることができる。
【００７７】
又、画像形成部４は、表示された一覧（印刷用データ一覧画面９３）内の印刷用データを指定する入力があったとき、指定された印刷用データに基づいて印刷を行う。これにより、使用者が画像形成装置（例えば、複合機１００）の前にいて、第三者による持ち去りを防ぐことができる状態で印刷が行われる。従って、情報セキュリティ上の安全性を高めることができる。又、本発明は、画像形成装置と情報処理装置（例えば、ＰＣ２００）からなる画像形成システム４００と捉えることができ、第三者による印刷用データのデータ名等の情報の確認を妨げることで、画像形成システム４００の情報セキュリティ上の安全性（機密性）を高めることができる。
【００７８】
（第２の実施形態）
次に、図８〜図１２に基づき、本発明の第２の実施形態に係るプライベートプリントの一例を説明する。図８は、本発明の第２の実施形態に係るプライベートプリントでの表示制御の流れの一例を示すフローチャートである。図９は、本発明の第２の実施形態に係るコード入力画面９２の一例を示す説明図である。図１０は、本発明の第２の実施形態に係るコード入力画面９２を再表示するか否かを確認するための確認画面９４の一例を示す説明図である。図１１は、本発明の第２の実施形態に係る再表示されたコード入力画面９２の一例を示す説明図である。図１２は、本発明の第２の実施形態に係る印刷用データ一覧画面９３の一例を示す説明図である。
【００７９】
第１の実施形態では、コード入力画面９２で入力するコード（パスワード）が１種類の場合を説明した。しかし、同一人が印刷用データを送信する場合でも、ＰＣ２００を用いて、印刷用データごとに異なる認証用コードを付し得る。そこで、第２の実施形態では、コード入力画面９２で、一度に複数のコードを入力可能とし、プライベートプリントでの操作を容易にする。
【００８０】
尚、以下で差異点として説明する点を除き、例えば、画像形成システム４００のハードウェア構成等、第２の実施形態は、第１の実施形態と同様でよい。そこで、第１の実施形態と第２の実施形態で共通する部分は、特に説明する場合を除き、第１の実施形態における記載を援用するものとして、図示、説明を省略する。
【００８１】
そこで、図８を用いて、第２の実施形態でのプライベートプリントでの表示制御の流れを説明するとともに、プライベートプリントで操作パネル１に表示される画面もあわせて説明する。
【００８２】
まず、図８のスタートは、第１の実施形態と同様、複合機１００の記憶部７３に認証用コードが付された印刷用データが蓄積、記憶された状態である。そして、表示制御部８はプリントボックスキー１３の押下や、液晶表示部６に対する操作等が行われることにより、第１の実施形態と同様の送信者表示画面９１（図５参照）を液晶表示部６に表示させる（ステップ♯２１）。尚、送信者表示画面９１における表示制御部８と制御部７の通信（送信者を示すデータのやりとり）は、第１の実施形態と同様でよい。そして、表示制御部８は、タッチパネル部６１によって、送信者表示画面９１で、送信者を指定する旨の入力が行われたことを認識する（ステップ♯２２）点も、第１の実施形態と同様である。
【００８３】
ステップ♯２２による送信者指定入力が行われると、表示制御部８は、指定された送信者を示すデータを制御部７に送信するとともに、指定された送信者の印刷用データにおける認証用コードの種類数を示すデータを制御部７から受け取る。即ち、表示制御部８は、認証用コードの種類の数を確認する（ステップ♯２３）そして、表示制御部８は、図９に示すようなコード入力画面９２を液晶表示部６に表示させる（ステップ♯２４）。
【００８４】
本実施形態では、送信者ごとに、認証用コードの種類数に応じた数のコード入力欄９２１がコード入力画面９２に表示される（ステップ♯２４）。図９では、認証用コードが４種類であり、４つのコード入力欄９２１が表示される場合のコード入力画面９２の一例を示している。このように、本実施形態では、送信者が複合機１００に向けて送信した印刷用データを一覧表示するうえで、必要な数の認証用コードに応じ、表示されるコード入力欄９２１の数が動的に変化する。尚、１つのコード入力欄９２１に入力されるコードは１種類である。
【００８５】
即ち、表示部（液晶表示部６）は、印刷用データの送信者を表示し、入力部（タッチパネル部６１等）に対し送信者の選択がなされた後、送信者が印刷用データに付した認証用コードの種類の数と同じ数だけのコード入力欄９２１をコード入力画面９２に表示する。
【００８６】
例えば、コード入力欄９２１を押下することにより、入力を行うコード入力欄９２１を指定し、テンキー部１２を用いてコード入力が行われる。そして、例えば、コード入力欄９２１の全てに正しいコードが入力されると、表示制御部８は、送信者がＰＣ２００から送信した全ての印刷用データを示す印刷用データ一覧画面９３を液晶表示部６に表示させる（図１２参照）。
【００８７】
そこで、コード入力画面９２でＯＫキーＫ２が押下されると、表示制御部８は、入力されたコードと、送信者に関しての全種類の認証用コードが一致するかを確認する（ステップ♯２５）。具体的には、表示制御部８は、制御部７に向け、入力されたコードを全て送信し、制御部７は、印刷用データに付された認証用コードと入力されたコードをそれぞれ比較し、照合する。そして、制御部７は、表示制御部８に向けて、例えば、全種類の認証用コードが一致するか否かを示すデータと、一致した認証用コードの個数と一致しない認証用コードの個数を示すデータを送信する。例えば、このように、表示制御部８は、ステップ♯２５の確認を行う。
【００８８】
尚、本説明では、制御部７が、認証用コードと、操作パネル１に入力されたコードとの比較、照合を行う例を説明するが、例えば、制御部７が、送信者に関し、各印刷用データに付された認証用コードの全てを表示制御部８に与え、表示制御部８が認証用コードと入力されたコードとの比較、照合を行って行ってもよい。
【００８９】
もし、コード入力画面９２で入力されたコードが、全種類の認証用コードと一致しなければ（ステップ♯２５のＮｏ）、表示制御部８は、コード入力画面９２で入力されたコードが全種類の認証用コードと一致しない旨と、コードの再入力を行うかを確認するための確認画面９４を液晶表示部６に表示させる（ステップ♯２６）。即ち、コード入力画面９２で入力されたコードとは異なる認証用コードが付された印刷用データがある場合、表示部（液晶表示部６）は、コード入力画面９２を再表示するか否かを確認するための確認画面９４を表示する。
【００９０】
コードの再入力のための確認画面９４の一例を図１０に示す。図１０に示すように、表示制御部８は、コードの入力者に関して、一致しない印刷用データの個数（一致しない認証用コードの個数でもよい）と、再度、コードの入力を行うかの確認の文章を確認画面９４に表示させる。そして、表示制御部８は、確認画面９４に表示されるＹｅｓキーＫ７又はＮｏキーＫ８が押下されることにより、コード入力画面９２を再度表示すべきか否かを確認する（ステップ♯２７）。
【００９１】
もし、ＹｅｓキーＫ７が押下され、コード入力画面９２の再表示を行う場合（ステップ♯２７のＹｅｓ）、表示制御部８は、コードの入力者に関して、先のコード入力で一致しなかった認証用コードの個数分のコード入力欄９２１を示すコード入力画面９２を液晶表示部６に表示させる（ステップ♯２８）。言い換えると、先のコード入力画面９２で、入力されたコードと認証用コードと一致した分については、正しいコードが入力されたものとみなし、入力を求めるコードの数を減らす。即ち、表示部（液晶表示部６）は、確認画面９４に基づきコード入力画面９２を再表示するとき、直前に表示したコード入力画面９２でのコード入力欄９２１の数から、直前に表示したコード入力画面９２で入力されたコードと認証用コードと一致した数を引いた数のコード入力欄９２１を表示する。そして、ステップ♯２５に戻る。
【００９２】
再表示されるコード入力画面９２で、コード入力欄９２１を減らす例を、図１１に示している。図１１は、先に、図９に示すコード入力画面９２が表示された後、再表示されたコード入力画面９２の一例を示す。例えば、図９に示すコード入力画面９２で、４つのうち、２つしか入力されたコードと、認証用コードが一致しなかった場合、図１１に示すように、再表示されたコード入力画面９２では、残り２つ分のコードの入力のみが求められる。これにより、複数回、同じコードの入力が求められるという煩わしさを無くすことができる。
【００９３】
一方、コード入力画面９２で入力されたコードが、全種類の認証用コードと一致した場合、（ステップ♯２５のＹｅｓ）、及び、ＮｏキーＫ８が押下され、コード入力画面９２の再表示を行わない場合（ステップ♯２７のＮｏ）、表示制御部８は、図１２に示すような、入力されたコードと認証用コードが一致した印刷用データのみの印刷用データ一覧画面９３を液晶表示部６に表示させる（ステップ♯２９→エンド）。入力部（タッチパネル部６１等）は、複数個のコードの入力を受け付け、表示部（液晶表示部６）は、複数個のコードを入力するためのコード入力画面９２を表示するとともに、入力された複数個のコードに一致する認証用コードが付された印刷用データを一覧（印刷用データ一覧画面９３）にまとめて表示する。尚、印刷用データ一覧画面９３で印刷、削除、詳細の確認等の指示がなされることになる点は、第１の実施形態と同様である。
【００９４】
印刷用データ一覧画面９３を表示する場合、例えば、制御部７から表示制御部８に、入力されたコードに一致する認証用コードが付された印刷用データに関する情報が与えられる。例えば、表示制御部８に与えられる情報としては、第１の実施形態と同様に印刷用データの名称や、印刷用データの受付日時（ＰＣ２００からの送信日時）等が挙げられる。
【００９５】
このように、従来と異なり、印刷用データ一覧画面９３が表示される前に、コード入力画面９２が表示される。これにより、印刷用データのデータ名等でさえ、第三者に見られることを防ぐことができる。
【００９６】
同一人が送信した印刷用データでも異なる認証用コードが付される場合もある。そのため、例えば、複数個の印刷用データの印刷を使用とする場合であって、複数個のコードの入力が必要な場合、１種類のコードしか入力できなければ、コード入力→印刷という操作手順の複数回の繰り返しが必要となる。しかし、第２の実施形態によれば、第１の実施形態の効果に加え、表示部（液晶表示部６）は、複数個のコードを入力するためのコード入力画面９２を表示し、入力された複数個のコードに一致する認証用コードが付された印刷用データを一覧（印刷用データ一覧画面９３）にまとめて表示する。これにより、一度に複数個の印刷用データに対する認証を受けることができる。従って、同じような操作の繰り返しを防ぐことができ、操作がしやすくなり、画像形成装置（例えば、複合機１００）の利便性を向上させることができる。
【００９７】
又、表示部（液晶表示部６）は、印刷用データに付した認証用コードの種類の数と同じ数だけのコード入力欄９２１をコード入力画面９２に表示する。これにより、印刷用データの全てを印刷するには、いくつのコードの入力が必要かを把握することができる。又、表示部は、コード入力画面９２で入力されたコードとは異なる認証用コードが付された印刷用データがある場合、コード入力画面９２を再表示するか否かを確認するための確認画面９４を表示する。これにより、残りの印刷用データを印刷するには、先に入力したコードと異なるコードが必要であることを使用者に認識させることができる。従って、コード入力における利便性を高めることができる。又、表示部は、コード入力画面９２を再表示するとき、直前に表示したコード入力画面９２でのコード入力欄９２１の数から、直前に表示したコード入力画面９２で入力されたコードと認証用コードと一致した数を引いた数のコード入力欄９２１を表示する。これにより、これにより、印刷用データの全てを印刷するには、あといくつのコードの入力が必要かを把握することができる。従って、コード入力において、使用者（送信者）に対するメッセージを伝えることで、利便性を高めることができる。
【００９８】
本発明の実施形態を説明したが、本発明の範囲はこれに限定されるものではなく、発明の主旨を逸脱しない範囲で種々の変更を加えて実施することができる。
【産業上の利用可能性】
【００９９】
本発明は、操作パネル１等の表示部と入力部を有する画像形成装置や、画像形成装置と情報処理装置を含む画像形成システムに利用可能である。
【符号の説明】
【０１００】
１００  複合機（画像形成装置）        １      操作パネル
４      画像形成部                    ６      液晶表示部（表示部）
６１    タッチパネル部（入力部）      ７      制御部
７３    記憶部                        ７４    通信部
９２    コード入力画面                ９２１  コード入力欄
９３    印刷用データ一覧画面（一覧）  ９４    確認画面
２００  ＰＣ（外部装置、情報処理装置）  ２０１  入力装置
４００  画像形成システム
【図１】
0005601707.tif 000002
【図２】
0005601707.tif 000003
【図３】
0005601707.tif 000004
【図４】
0005601707.tif 000005
【図５】
0005601707.tif 000006
【図６】
0005601707.tif 000007
【図７】
0005601707.tif 000008
【図８】
0005601707.tif 000009
【図９】
0005601707.tif 000010
【図１０】
0005601707.tif 000011
【図１１】
0005601707.tif 000012
【図１２】
0005601707.tif 000013